(57)【要約】【課題】グリル室を備えた据置型加熱調理器において、グリル扉引き出し時に、グリル扉部に荷重がかけられた場合に、加熱調理器が傾斜・転倒することを防止すること。【解決手段】加熱調理器２１内に配されたグリル加熱室と、グリル加熱室の開口を覆い開閉自在に配され外郭１ａ前方に略水平に引き出されるグリル扉２０と、外郭後方に外郭の前方への傾斜を抑制するためのフランジ部２４とを備え、フランジ部２４は、外郭を載置する載置台あるいは外郭の後方に位置する後方壁により係止される構成とすること。【選択図】図４
2012225578.tif 000002
【特許請求の範囲】
【請求項１】
外郭と、被加熱物を加熱する加熱手段と、前記外郭内に配されたグリル加熱室と、前記グリル加熱室の開口を覆い開閉自在に配され前記外郭前方に略水平に引き出されるグリル扉と、前記外郭後方に前記外郭の前方への傾斜を抑制するための係合部とを備え、前記係合部は前記外郭を載置する載置台あるいは前記外郭の後方に位置する後方壁により係止される加熱調理器。
【請求項２】
外郭後方に前記外郭と後方壁の隙間を埋め前記外郭後方への調理物の落下を防ぐバックガードを設けた請求項１に記載の加熱調理器。
【請求項３】
バックガードは載置する載置台あるいは前記外郭の後方に位置する後方壁により係止される係合部を設けた請求項２に記載の加熱調理器。
【請求項４】
係合部が複数設けられた請求項１〜３のいずれか１項に記載の加熱調理器。
【請求項５】
係合部の形状をＬ字型とした請求項１〜４のいずれか１項に記載の加熱調理器。
【請求項６】
係合部には、締結用の開口部が設けられた請求項１〜５のいずれか１項に記載の加熱調理器。
【請求項７】
係合部は着脱可能とした請求項１〜６のいずれか１項に記載の加熱調理器。
【発明の詳細な説明】
【技術分野】
【０００１】
本発明は、転倒防止機能を備えた加熱調理器に関するものである。
【背景技術】
【０００２】
従来、この種の加熱調理器は、システムキッチンの隙間を埋めて調理物が隙間に落ちるのを防いだり、キッチンの見栄えをよくするものがあった（例えば、特許文献１参照）。図６は、特許文献１に記載された従来のバックガード付き誘導加熱調理器を示す。図６に示すように、調理器を含めたシステムキッチンは、誘導加熱調理器１００と、バックガード１０１と、甲システムキッチンユニット１０２と、乙システムキッチンユニット１０３とで構成されている。
【０００３】
バックガード１０１により誘導加熱調理器１００と乙システムキッチン１０３の上面後方部の隙間を埋め、しかも誘導加熱調理器１００のフラットな天面に対して、略同一面を形成しシステムキッチンユニットのモジュールに合致した寸法、形状とすることで、トータルキッチンとしてのデザイン性を格段に向上させ、油汚れなどの清掃も簡単にできる。
【先行技術文献】
【特許文献】
【０００４】
【特許文献１】特開２００２−１０６８５７号公報
【発明の概要】
【発明が解決しようとする課題】
【０００５】
図７（ａ）は従来の加熱調理器のグリル扉を引き出した側面図であり、（ｂ）は従来の加熱調理器のグリル扉を引き出してグリル扉の上面で把手部を力点として荷重がかけられた時の側面図である。
【０００６】
従来の構成では、図７（ｂ）に示すように、加熱調理器２１のグリル部が、グリル部開け閉めをスムーズにする利便性向上のためのスライドレールなどと一体に構成されたグリル扉２０を有し、例えば、調理物を取り出すために引き出され、そのグリル扉２０の上面や把手部を力点として荷重がかけられた場合は、必ずしも加熱調理器２１の傾斜や起き上がりに対して十分な構成ではなかった。
【０００７】
傾斜や起き上がりが生じると、加熱調理器２１の天板上に載置された被加熱物が飛び出すことで、調理者のみならずキッチン周辺が危険に晒されることになる。
【０００８】
本発明は、前記従来の課題を解決するもので、傾斜、転倒防止機能を備える加熱調理器を提供することを目的とする。
【課題を解決するための手段】
【０００９】
前記従来の課題を解決するために、本発明の加熱調理器は、外郭と、被加熱物を加熱する加熱手段と、前記外郭内に配されたグリル加熱室と、前記グリル加熱室の開口を覆い開閉自在に配され前記外郭前方に略水平に引き出されるグリル扉と、前記外郭後方に前記外郭の前方への傾斜を抑制するための係合部とを備え、前記係合部は前記外郭を載置する載置台あるいは前記外郭の後方に位置する後方壁により係止される構成としたものである。
【００１０】
これによって、加熱調理器のグリル部に備えられたスライドレールと一体に構成されたグリル扉が引き出された際にグリル扉の上面や把手を力点として荷重がかけられた場合に
、加熱調理器後方が浮き上がる量を所定量に抑制することができ、転倒、傾斜防止できることにより、機器として安全性を確保することができる。
【００１１】
また、係合部は設置工事においても機器を係止することが可能であり、機器の重量自体を増加させて機器の安定性を確保する必要がなく従来のままの重量で設置安定性を確保することが可能となる。
【００１２】
また、本発明の加熱調理器は、外郭後方に前記外郭と後方壁の隙間を埋め前記外郭後方への調理物の落下を防ぐバックガードを設けた構成としたものである。
【００１３】
これによって、係合部を上方から覆うことができ、加熱調理器の美観を損なうことなく転倒、傾斜防止できることにより、機器として安全性を確保することができる。
【００１４】
また、本発明の加熱調理器は、バックガードは載置する載置台あるいは前記外郭の後方に位置する後方壁により係止される係合部を設けた構成としたものである。
【００１５】
これによって、加熱調理器の美観を損なうことなく、バックガードにも係合部を設けて係止することができるので、機器として安全性と美観性を向上させることができる。
【００１６】
また、本発明の加熱調理器は、係合部が複数設けられた構成としたものである。これによって、複数箇所で係止することにより加熱調理器の傾斜・転倒防止を抑制でき、機器として安全性を確保することができる。
【００１７】
また、本発明の加熱調理器は、係合部の形状をＬ字型とした構成としたものである。これによって、シンプルな形状で係合部を作製することができ、コストを安くすることができる。さらに加熱調理器側と載置台がともに接することで傾斜・転倒防止を抑制でき、機器として安全性を確保することができる。
【００１８】
また、本発明の加熱調理器は、係合部には、締結用の開口部が設けられた構成としたものである。これによって、加熱調理器にビスで止めることが可能になり、より強固に係止することができる。
【００１９】
同様に載置台にも係止することができ、より強固に係止することができるようになることは言うまでもない。
【００２０】
また、本発明の加熱調理器は、係合部は着脱可能とした構成としたものである。これによって、加熱調理器に止めたり、取り外すことが可能になり、使用者に応じて選択することが可能になり、使用者によっては不要として、コストを抑制することができる。
【発明の効果】
【００２１】
本発明の加熱調理器は、商品前方に荷重をかけられた場合に加熱調理器の転倒、傾斜を防止することができる。
【図面の簡単な説明】
【００２２】
【図１】本発明の実施の形態１における加熱調理器の斜視図
【図２】本発明の実施の形態１における加熱調理器の側面視図
【図３】（ａ）本発明の実施の形態２における加熱調理器をシステムキッチンユニットに組み込んだ時の側面図（ｂ）本発明の実施の形態２における加熱調理器をシステムキッチンユニットに組み込んだ時の側面図
【図４】本発明の実施の形態３における加熱調理器をシステムキッチンユニットに組み込んだ時の側面図
【図５】本発明の実施の形態４における加熱調理器をシステムキッチンユニットに組み込んだ時の側面図
【図６】従来のバックガード付き誘導加熱調理器をシステムキッチンユニットに組み込んだ状態を示す斜視図
【図７】（ａ）従来の加熱調理器のグリル扉を引き出した時の側面図（ｂ）従来の加熱調理器のグリル扉を引き出してグリル扉の上面や把手部を力点として荷重がかけられた場合の側面図
【発明を実施するための形態】
【００２３】
第１の発明は、本発明の加熱調理器は、外郭と、被加熱物を加熱する加熱手段と、前記外郭内に配されたグリル加熱室と、前記グリル加熱室の開口を覆い開閉自在に配され前記外郭前方に略水平に引き出されるグリル扉と、前記外郭後方に前記外郭の前方への傾斜を抑制するための係合部とを備え、前記係合部は前記外郭を載置する載置台あるいは前記外郭の後方に位置する後方壁により係止される構成としたものである。
【００２４】
これによって、加熱調理器のグリル部に備えられたスライドレールと一体に構成されたグリル扉の上面を力点として荷重がかけられた場合に、加熱調理器後方の浮き上がりを抑制することができ、転倒、傾斜防止できることにより、機器として安全性を確保することができる。
【００２５】
また、錘を着脱自在とすることで、設置工事時に機器に取り付けることが可能となり、機器の重量自体は従来のままにしておくことが可能となる。
【００２６】
第２の発明は、特に、第１の発明において、外郭後方に前記外郭と後方壁の隙間を埋め前記外郭後方への調理物の落下を防ぐバックガードを設けたものである。
【００２７】
これによって、加熱調理器のグリル部に備えられたスライドレールと一体に構成されたグリル扉の上面や把手を力点として荷重がかけられた場合に、加熱調理器後方が浮き上がることを防止し、転倒、傾斜防止できることにより、機器として安全性を確保することができる。また、設置工事時に機器に取り付けることが可能であり、機器の重量自体は従来のままにしておくことが可能となる。
【００２８】
さらに、バックガードにより係止部を含めて隙間を埋めることにより、係部が見えず、キッチンの美観をよくすることができる。
【００２９】
第３の発明は、特に、第２の発明のバックガードは載置する載置台あるいは前記外郭の後方に位置する後方壁により係止される係合部を設けたものである。
【００３０】
これによって、加熱調理器のグリル部に備えられたスライドレールと一体に構成されたグリル扉の上面を力点として荷重がかけられた場合に、加熱調理器後方の浮き上がりを抑制することができ、転倒、傾斜防止できることにより、機器として安全性を確保することができる。
【００３１】
また、錘を着脱自在とすることで、設置工事時に機器に取り付けることが可能となり、機器の重量自体は従来のままにしておくことが可能となる。
【００３２】
さらに、載置台あるいは後方壁と係止されることにより、バックガード本体も係止され、より転倒、傾斜防止できることにより、機器として安全性を確保することができる。
【００３３】
第４の発明は、特に、第１〜３のいずれか１つの発明の係合部が複数設けられたものである。
【００３４】
これによって、加熱調理器のグリル部に備えられたスライドレールなどと一体に構成されたグリル扉の上面や把手を力点として荷重がかけられた場合に、加熱調理器後方が浮き上がることを防止し、転倒、傾斜防止できることにより、機器として安全性を確保することができる。
【００３５】
また、設置工事時に機器に取り付けることが可能であり、機器の重量自体は従来のままにしておくことが可能となる。
【００３６】
さらに、係合部が複数あることで、より加熱調理器本体を係止する力が増して、より転倒、傾斜防止できることにより、機器として安全性を確保することができる。
【００３７】
第５の発明は、特に、第１〜４のいずれか１つの発明の係合部の形状をＬ字型としたものである。
【００３８】
これによって、加熱調理器のグリル部に備えられたスライドレールなどと一体に構成されたグリル扉の上面や把手を力点として荷重がかけられた場合に、加熱調理器後方が浮き上がることを防止し、転倒、傾斜防止できることにより、機器として安全性を確保することができる。
【００３９】
また、設置工事時に機器に取り付けることが可能であり、機器の重量自体は従来のままにしておくことが可能となる。
【００４０】
これによって、シンプルな形状で係合部を作製することができ、コストを安くすることができる。さらに加熱調理器側と載置台ともに接することで傾斜・転倒防止を抑制でき、機器として安全性を確保することができる
第６の発明は、特に、第１〜５のいずれか１つの発明の係合部には、締結用の開口部が設けられたものである。
【００４１】
これによって、加熱調理器にビスで止めることが可能になり、より強固に係止することができる。
【００４２】
同様に載置台にも係止することができ、より強固に係止ことができるようになることは言うまでもない。
第７の発明は、特に、第１〜６のいずれか１つの発明の係合部は着脱可能としたものである。
【００４３】
これによって、使用者は使用用途に応じて係合部を使用することができて、使用者に応じて選択することが可能になり、使用者によっては不要として、コストを抑制することができる。
【００４４】
さらに、メンテナンスを行いたい場合などは取り外しを行い、メンテナンス終了後には元に戻すということが可能になり、サービス性を向上することができる。
【００４５】
以下、本発明の実施の形態について、図面を参照しながら説明する。なお、この実施の形態によって本発明が限定されるものではない。
【００４６】
（実施の形態１）
図１は本発明の第１の実施の形態１における加熱調理器の斜視図であり、加熱調理器の主要構成部品を示すものである。但し、本実施の形態の説明に不要な構成部分については主要構成であっても省略している。
【００４７】
図１において、加熱調理器である据置型誘導加熱調理器は、外郭１ａの天面には、被加熱調理器具を載置する天板２ａが配されている。天板２ａは高耐熱のガラス等の、電磁誘導によって加熱されない材質で構成されている。
【００４８】
トップフレーム３ａは、天板２ａの外周を囲み、本体の天面の一部もしくは殆ど全部を構成しており、天板２ａを介して伝わる、被加熱物からの熱に十分耐え、且つ外観部品として見栄えのよく、腐食にも強いステンレスやホーロー処理鋼板等の金属から成っている。
【００４９】
トップフレーム３ａに形成された天面操作部４ａの内部には、操作部ユニット等が配設されている。天板２ａの下方には加熱手段である誘導加熱コイル６ａが近接して設けられている。
【００５０】
誘導加熱コイル６ａはコイルケース７ａに収納され、外郭１ａ内の所定の位置に保持されている。誘導加熱コイル６ａには電源回路８ａによって高周波電力が供給される。誘導加熱コイル６ａ及び電源回路８ａは冷却ファン９ａの送風によって冷却される。
【００５１】
外郭１ａ内には略箱形状のグリル加熱室１０ａが配設されており、グリル加熱室１０ａ内に発熱して被加熱物を加熱するグリルヒーター１１ａによって加熱調理を行う。グリル加熱室１０ａ内には、調理物を載せる焼き網１２ａを載置した受け皿１３ａを収納してある。
【００５２】
グリル使用時はグリル加熱室１０ａの開口部を覆うグリル扉２０は受け皿１３ａに嵌着されており、グリル扉２０と受け皿１３ａは連動して前後に摺動する。グリル扉２０は、金属等に対して熱伝導率の低い合成樹脂等により形成された持ち手１５ａや、グリル内部での調理物の状態を観察できるように、ガラス等の耐熱性を有し且つ透明なガラス等から成る窓部１６ａ等で構成されている。
【００５３】
図２は、本発明の第１の実施形態における加熱調理器の側面図である。加熱調理器に着脱自在に取り付けられる金属で形成された係合部であるＬ字型の第一のフランジ部２３と、前記加熱調理器をシステムキッチンユニットに組み込んだときに生じる空間部と、前記空間部に着脱自在に設けた金属で形成された第二のフランジ部２２とを備え、第一のフランジ部２３と第二のフランジ部２２の位置関係が、第一のフランジ部２３が所定の分、下方にある構成として、係合部は加熱調理器を載置する後方に位置する後方壁であるキッチン背面に係止することができる。
【００５４】
これによって、加熱調理器２１である誘導加熱調理器のグリル部に備えられたスライドレールと一体に構成されたグリル扉２０の上面や把手を力点として荷重がかけられた場合に、加熱調理器後方が浮き上がる量を所定量に抑制することができ、転倒、傾斜防止できることにより、機器として安全性を確保することができる。
【００５５】
フランジ部を二箇所用意することで傾斜角度を調整でき、設置場所をフレキシブルにすることが可能となる。
【００５６】
また、設置工事時に機器に取り付けることが可能であり、機器の重量自体は従来のままにしておくことが可能となる。
【００５７】
また、起き上がり防止のために本体に錘を載せずにできることで、商品の搬送性能が損なわれることもない。
【００５８】
また、荷重をかけるのが、分別のつかない伝い歩きをする赤ちゃんである場合、身長が約８０ｃｍ、体重が約１０ｋｇであることを考えると、約１００Ｎの力に耐えなければ、調理器本体が傾斜し、調理中、あるいは調理後の被加熱容器が傾斜し、内容物が飛び出しやけど、大怪我をする恐れがあるため、所定の傾斜分はその荷重を考慮すべきであることはいうまでもない。
【００５９】
（実施の形態２）
図３（ａ）は、本発明の第２の実施形態における加熱調理器２１をシステムキッチンユニット１９に組み込んだ時の側面図、（ｂ）は本発明の実施の形態２における加熱調理器２１をシステムキッチンユニット１９に組み込んだ時の側面図である。
【００６０】
図３（ａ）に示すように、被加熱物を加熱する加熱手段と本体内に配されたグリル加熱室と、グリル加熱室の開口を覆い開閉自在に配されたグリル扉２０とを備える加熱調理器２１と、加熱調理器２１をシステムキッチンユニット１９に組み込んだときに生じる空間部と、加熱調理器２１に着脱自在に取り付けられる金属で形成された係合部である締結用の開口部Ａが設けられたフランジ部２４とを有し、フランジ部２４は加熱調理器を載置するキッチンに取り付けられる構成としたものである。
【００６１】
これによって、加熱調理器２１のグリル部に備えられたスライドレールなどと一体に構成されたグリル扉２０の上面や把手を力点として荷重がかけられた場合であっても、加熱調理器２１の後方はシステムキッチンユニットと係止されており、調理器本体が傾斜することを防止することができる。それにより、機器として安全性を確保することができる。
【００６２】
フランジ部は、図３（ｂ）のようにキッチン背面１９とともに取り付けられても同様の効果を発揮することはいうまでもない。
【００６３】
（実施の形態３）
図４は、本発明の第３の実施形態における加熱調理器をシステムキッチンユニットに組み込んだ時の側面図である。
【００６４】
被加熱物を加熱する加熱手段を備える加熱調理器２１と加熱調理器２１をシステムキッチンユニットに組み込んだときに生じる空間部と、前記空間部に設けた着脱自在のバックガード２６とを備え、バックガード２６は、加熱調理器側の下部に着脱自在のフランジ部２４が当接または嵌め込み可能な形状を構成し、さらに、バックガード２６はシステムキッチンユニットの端面形状に類似したモジュールで、かつ誘導加熱調理器の天面と同一面を形成し、フランジ部２４は加熱調理器２１を載置するキッチンに取り付けられる構成としている。
【００６５】
さらに、バックガード２６は、載置する載置台あるいは外郭の後方に位置する後方壁に係止される係合部を設けている。
【００６６】
これによって、加熱調理器のグリル部に備えられたスライドレールなどと一体に構成されたグリル扉２０の上面や把手を力点として荷重がかけられた場合であっても、加熱調理器後方はバックガード２６とともにシステムキッチンユニットと係止されており、調理器本体が傾斜することを防止することができる。
【００６７】
それにより、機器として安全性を確保することができる。さらにバックガード２６により係止部分を隠すことができ、システムキッチンの美観を損なわずに安全性を確保することが可能となる。
【００６８】
（実施の形態４）
図５は、本発明の第４の実施形態における加熱調理器２１をシステムキッチンユニット１９に組み込んだ時の側面図である。
【００６９】
被加熱物を加熱する加熱手段と本体内に配されたグリル加熱室と、グリル加熱室の開口を覆い開閉自在に配されたグリル扉２０とを備える加熱調理器２１と加熱調理器２１に着脱自在に取り付けられる金属で形成された係合部である複数のフランジ部２７と、加熱調理器２１をシステムキッチンユニット１９に組み込んだときに本体前方を除いた部分に生じる空間部と、前記空間部に着脱自在に設けた金属で形成された第二のフランジ部２８を備え、フランジ部２７と第二のフランジ部２８の位置関係が、複数のフランジ部２７により挟まれる構成としている。
【００７０】
これによって、加熱調理器２１のグリル部に備えられたスライドレールなどと一体に構成されたグリル扉２０の上面や把手を力点として荷重がかけられた場合であっても、複数のフランジ部２７と第二のフランジ部２８により係止され、傾斜する角度を所定の隙間設けることで調整可能となる。
【００７１】
フランジ部が機器側とキッチン側で逆構成になっていても、同様の効果が得られることはいうまでもない。
【００７２】
さらに、形状がフランジ形状のみならず、係止できる構成であれば、同様の効果が得られることはいうまでもない。
【産業上の利用可能性】
【００７３】
以上のように、本発明にかかる加熱調理器は、商品前方に加重をかけられた場合に加熱調理器の転倒、傾斜を防止することが可能となるので、調理機器全般に有効である。
【符号の説明】
【００７４】
１９  キッチン背面
２０  グリル扉
２１  加熱調理器
１ａ  外郭
２ａ  天板
３ａ  トップフレーム
４ａ  天面操作部
６ａ  誘導加熱コイル
７ａ  コイルケース
８ａ  電源回路
９ａ  冷却ファン
１０ａ  グリル加熱室
１１ａ  グリルヒーター
１２ａ  焼き網
１３ａ  受け皿
１４ａ  グリル扉
１５ａ  持ち手
１６ａ  窓部
２２、２８  第二のフランジ部
２３  第一のフランジ部
２４、２５、２７  フランジ部
２６  バックガード
【図６】
2012225578.tif 000003
【図７】
2012225578.tif 000004
【図１】
2012225578.tif 000005
【図２】
2012225578.tif 000006
【図３】
2012225578.tif 000007
【図４】
2012225578.tif 000008
【図５】
2012225578.tif 000009